(57)【特許請求の範囲】
【請求項１】
非接触でデータの受信を行う第１の通信手段と、
接触式でデータの送信を行う第２の通信手段と、
前記第１及び第２の通信手段を制御するＣＰＵとを備える携帯可能情報記録媒体であって、
前記ＣＰＵは、
前記第１の通信手段で、この携帯可能情報記録媒体との間で非接触でデータを送信する第１のデータ処理部から、データを受信し、
その通信を行っている間に前記第１の通信手段から前記第２の通信手段に通信手段を切り替え、
切り替えを行った前記第２の通信手段で、この携帯可能情報記録媒体との間で接触式でデータを受信する第２のデータ処理部に対して、前記第１の通信手段が受信した前記データを送信すること、
を特徴とする携帯可能情報記録媒体。
【請求項２】
請求項１に記載の携帯可能情報記録媒体において、
前記ＣＰＵは、
前記第２の通信手段による前記第２のデータ処理部との通信完了後に前記第２の通信手段から前記第１の通信手段に通信手段を切り替え、
切り替えを行った前記第１の通信手段で前記第１のデータ処理部に応答すること、
を特徴とする携帯可能情報記録媒体。
【請求項３】
非接触でデータの受信を行う第１の通信手段と、
接触式でデータの送信を行う第２の通信手段と、
前記第１及び第２の通信手段を制御するＣＰＵとを備える携帯可能情報記録媒体であって、
前記ＣＰＵは、
前記第１の通信手段で、非接触でデータを送信する第１の外部装置から、データを受信し、
その通信を行っている間に前記第１の通信手段から前記第２の通信手段に通信手段を切り替え、
切り替えを行った前記第２の通信手段で、接触式でデータを受信する第２の外部装置に対して、前記第１の通信手段が受信した前記データを送信すること、
を特徴とする携帯可能情報記録媒体。
【請求項４】
請求項１から請求項３までのいずれか１項に記載の携帯可能情報記録媒体において、
前記第１の通信手段は、磁界を使って情報通信する巻き線コイルを備え、
前記ＣＰＵは、前記巻き線コイルが磁界を検出したことによる起電力によって、電力の供給を受けること、
を特徴とする携帯可能情報記録媒体。
【請求項５】
請求項１から請求項４までのいずれか１項に記載の携帯可能情報記録媒体において、
前記第１及び第２の通信手段で通信されるデータは、画像データ及び／又は動画データを含むデータであること、
を特徴とする携帯可能情報記録媒体。
【請求項６】
非接触でデータの受信を行う第１の通信手段と、
接触式でデータの送信を行う第２の通信手段と、
前記第１及び第２の通信手段を制御するＣＰＵとを備える携帯可能情報記録媒体のＣＰＵに実行させる携帯可能情報記録媒体プログラムであって、
前記第１の通信手段で、この携帯可能情報記録媒体との間で非接触でデータを送信する第１のデータ処理部から、データを受信する第１の通信手順と、
前記第１の通信手順で通信を行っている間に前記第１の通信手段から前記第２の通信手段に通信手段を切り替える第１の切替手順と、
前記第１の切替手順で切り替えを行った前記第２の通信手段で、この携帯可能情報記録媒体との間で接触式でデータを受信する第２のデータ処理部に対して、前記第１の通信手段で受信した前記データを送信する第２の通信手順と、
を実行させるための携帯可能情報記録媒体プログラム。
【請求項７】
請求項６に記載の携帯可能情報記録媒体プログラムにおいて、
前記携帯可能情報記録媒体のＣＰＵに、
前記第２の通信手順の通信完了後に、前記第２の通信手段から前記第１の通信手段に通信手段を切り替える第２の切替手順と、
前記第２の切替手順で切り替えを行った前記第１の通信手段で前記第１のデータ処理部に応答する応答手順と、
を実行させるための携帯可能情報記録媒体プログラム。
【請求項８】
非接触でデータの受信を行う第１の通信手段と、
接触式でデータの送信を行う第２の通信手段と、
前記第１及び第２の通信手段を制御するＣＰＵとを備える携帯可能情報記録媒体のＣＰＵに実行させる携帯可能情報記録媒体プログラムであって、
前記第１の通信手段で、非接触でデータを送信する第１の外部装置から、データを受信する第１の通信手順と、
前記第１の通信手順で通信を行っている間に前記第１の通信手段から前記第２の通信手段に通信手段を切り替える第１の切替手順と、
前記第１の切替手順で切り替えを行った前記第２の通信手段で、接触式でデータを受信する第２の外部装置に対して、前記第１の通信手段が受信した前記データを送信する第２の外部装置と通信を行う第２の通信手順と、
を実行させるための携帯可能情報記録媒体プログラム。
【請求項９】
請求項４に記載の携帯可能情報記録媒体と、
請求項４に記載の第２のデータ処理部とを備える通信システムであって、
前記第１及び第２の通信手段で通信されるデータは、画像データ及び／又は動画データを含むデータであり、
前記第２のデータ処理部は、受信した前記データを表示する表示装置を備えること、
を特徴とする通信システム。
【発明の詳細な説明】
【技術分野】
【０００１】
本発明は、複数の通信手段を備える携帯可能情報記録媒体、この携帯可能情報記録媒体のＣＰＵに実行させる携帯可能情報記録媒体プログラム、通信システムに関するものである。
【背景技術】
【０００２】
図４は、従来のＩＣカードとリーダライタなどとを示す図である。
図４（Ａ）に示すように、ＩＣカード１０Ａは、非接触式のＩＣカードであり、外部装置としてのリーダライタ２０ａから発生している磁界にカードかざすと、カード内のアンテに電流が生じ、ＩＣチップが動作するようになっている（例えば、特許文献１）。
このＩＣカード１０Ａは、表示装置を備えていないため、ＩＣカード１０Ａが受信した情報をカード保持者が理解するためには、情報の発信側（リーダライタ２０ａ側）に表示装置を装備する必要があった。
【０００３】
また、図４（Ｂ）に示すように、ＩＣカードと同等の動作をする装置１０Ｂ（例えば、小型のＩＣカードを内蔵した携帯電話）が表示機能を備えている場合には、この装置１０Ｂは、リーダライタ２０ａとの通信が完了した後に、通信の内容を読み出して表示を行っていた。
【０００４】
しかし、この場合、情報発信元であるリーダライタ２０ａから受信した情報は、全ての処理が完了した後でなければ表示することができず、受信したデータの情報量が多ければ多いほど、表示までの待ち時間が長くなってしまう恐れがあった。
【特許文献１】特開２００２−１３３３７６号公報
【発明の開示】
【発明が解決しようとする課題】
【０００５】
本発明の課題は、利用者の待ち時間を短縮できる携帯可能情報記録媒体、そのプログラム、通信システムを提供することである。
【課題を解決するための手段】
【０００６】
前記課題を解決するために、請求項１の発明は、非接触でデータの受信を行う第１の通信手段と、接触式でデータの送信を行う第２の通信手段と、前記第１及び第２の通信手段を制御するＣＰＵとを備える携帯可能情報記録媒体であって、前記ＣＰＵは、前記第１の通信手段で、この携帯可能情報記録媒体との間で非接触でデータを送信する第１のデータ処理部から、データを受信し、その通信を行っている間に前記第１の通信手段から前記第２の通信手段に通信手段を切り替え、切り替えを行った前記第２の通信手段で、この携帯可能情報記録媒体との間で接触式でデータを受信する第２のデータ処理部に対して、前記第１の通信手段が受信した前記データを送信すること、を特徴とする携帯可能情報記録媒体である。
請求項２の発明は、請求項１に記載の携帯可能情報記録媒体において、前記ＣＰＵは、前記第２の通信手段による前記第２のデータ処理部との通信完了後に前記第２の通信手段から前記第１の通信手段に通信手段を切り替え、切り替えを行った前記第１の通信手段で前記第１のデータ処理部に応答すること、を特徴とする携帯可能情報記録媒体である。
請求項３の発明は、非接触でデータの受信を行う第１の通信手段と、接触式でデータの送信を行う第２の通信手段と、前記第１及び第２の通信手段を制御するＣＰＵとを備える携帯可能情報記録媒体であって、前記ＣＰＵは、前記第１の通信手段で、非接触でデータを送信する第１の外部装置から、データを受信し、その通信を行っている間に前記第１の通信手段から前記第２の通信手段に通信手段を切り替え、切り替えを行った前記第２の通信手段で、接触式でデータを受信する第２の外部装置に対して、前記第１の通信手段が受信した前記データを送信すること、を特徴とする携帯可能情報記録媒体である。
請求項４の発明は、請求項１から請求項３までのいずれか１項に記載の携帯可能情報記録媒体において、前記第１の通信手段は、磁界を使って情報通信する巻き線コイルを備え、前記ＣＰＵは、前記巻き線コイルが磁界を検出したことによる起電力によって、電力の供給を受けること、を特徴とする携帯可能情報記録媒体である。
請求項５の発明は、請求項１から請求項４までのいずれか１項に記載の携帯可能情報記録媒体において、前記第１及び第２の通信手段で通信されるデータは、画像データ及び／又は動画データを含むデータであること、を特徴とする携帯可能情報記録媒体である。
請求項６の発明は、非接触でデータの受信を行う第１の通信手段と、接触式でデータの送信を行う第２の通信手段と、前記第１及び第２の通信手段を制御するＣＰＵとを備える携帯可能情報記録媒体のＣＰＵに実行させる携帯可能情報記録媒体プログラムであって、前記第１の通信手段で、この携帯可能情報記録媒体との間で非接触でデータを送信する第１のデータ処理部から、データを受信する第１の通信手順と、前記第１の通信手順で通信を行っている間に前記第１の通信手段から前記第２の通信手段に通信手段を切り替える第１の切替手順と、前記第１の切替手順で切り替えを行った前記第２の通信手段で、この携帯可能情報記録媒体との間で接触式でデータを受信する第２のデータ処理部に対して、前記第１の通信手段で受信した前記データを送信する第２の通信手順と、を実行させるための携帯可能情報記録媒体プログラムである。
請求項７の発明は、請求項６に記載の携帯可能情報記録媒体プログラムにおいて、前記携帯可能情報記録媒体のＣＰＵに、前記第２の通信手順の通信完了後に、前記第２の通信手段から前記第１の通信手段に通信手段を切り替える第２の切替手順と、前記第２の切替手順で切り替えを行った前記第１の通信手段で前記第１のデータ処理部に応答する応答手順と、を実行させるための携帯可能情報記録媒体プログラムである。
請求項８の発明は、非接触でデータの受信を行う第１の通信手段と、接触式でデータの送信を行う第２の通信手段と、前記第１及び第２の通信手段を制御するＣＰＵとを備える携帯可能情報記録媒体のＣＰＵに実行させる携帯可能情報記録媒体プログラムであって、前記第１の通信手段で、非接触でデータを送信する第１の外部装置から、データを受信する第１の通信手順と、前記第１の通信手順で通信を行っている間に前記第１の通信手段から前記第２の通信手段に通信手段を切り替える第１の切替手順と、前記第１の切替手順で切り替えを行った前記第２の通信手段で、接触式でデータを受信する第２の外部装置に対して、前記第１の通信手段が受信した前記データを送信する第２の外部装置と通信を行う第２の通信手順と、を実行させるための携帯可能情報記録媒体プログラムである。
請求項９の発明は、請求項４に記載の携帯可能情報記録媒体と、請求項４に記載の第２のデータ処理部とを備える通信システムであって、前記第１及び第２の通信手段で通信されるデータは、画像データ及び／又は動画データを含むデータであり、前記第２のデータ処理部は、受信した前記データを表示する表示装置を備えること、を特徴とする通信システムである。
【発明の効果】
【０００７】
本発明によれば、第１の通信手段で応答を返す前に、第２の通信手段で通信を行うので、データを受信した直後から順次第２の外部装置にデータを送信でき、第２の外部装置は、第１の外部装置の通信完了を待たずに処理を開始できるので、結果として、利用者の待ち時間を短縮することができる。
【０００８】
また、第２の通信手段を、接触式の通信手段とすることで、通信が安定し、確実かつ迅速に第２の外部装置と通信を行うことができ、第１の通信手段での通信中に行う通信に最適である。
【０００９】
さらに、画像データ及び／又は動画データを含むデータを取り扱う場合には、データの情報量が多いので通信に負担がかかるが、負担が大きくなればなるほど、本発明の構成であれば、利用者の待ち時間を大幅に短縮することができる。
【発明を実施するための最良の形態】
【００１０】
本発明は、利用者の待ち時間を短縮できる携帯可能情報記録媒体及びそのプログラムを提供するという目的を、非接触式通信部でリーダライタと通信を行い、リーダライタに応答を返す前に、接触式通信部でＰＤＡと通信を行うことにより実現する。
【実施例】
【００１１】
以下、図面等を参照して、本発明の実施例について、さらに詳しく説明する。
図１は、本発明による携帯可能情報記録媒体の実施例を示すブロック図である。
本実施例のＩＣカード（携帯可能情報記録媒体）１０は、通信部１１と、ＣＰＵ１２と、ＲＡＭ１３と、ＲＯＭ１４と、ＥＥＰＲＯＭ１５などとを備える。
【００１２】
通信部１１は、ＣＰＵ１２及び各外部装置２０ａ，２０ｂ間の通信を媒介する部分であり、非接触通信部（第１の通信手段）１１ａと、接触通信部（第２の通信手段）１１ｂとを備え、非接触通信部１１ａと接触通信部１１ｂとは、異なる通信手段である。
非接触通信部１１ａは、巻き線コイルなどのアンテナを備え、非接触式で外部装置と通信を行う部分であり、コマンドやデータなどといった主要な通信を行う。
接触通信部１１ｂは、接触によって電気的導通を行う接触端子などを備え、接触式で外部装置と通信を行う部分である。
また、本実施例では、非接触通信部１１ａ及び接触通信部１１ｂで通信されるデータは、動画データを含むデータである。
【００１３】
ＣＰＵ１２は、ＩＣカード１０や通信部１１を統括制御する中央処理装置であって、四則演算や論理演算など算術的な処理を行なう演算装置を備え、通信部１１を介して受信するコマンドに応じて、ＲＯＭ１４及びＥＥＰＲＯＭ１５に記憶されている実行コード（プログラム）を実行する部分である。
ＲＡＭ１３は、揮発性メモリであり、ＣＰＵ１２が処理を行う作業領域や、各外部装置２０ａ，２０ｂとデータをやり取りするための送受信用のバッファなどとして使用される。
【００１４】
ＲＯＭ１４は、不揮発性の読み出し専用のメモリであり、実行コードや各種パラメータなどが記憶されている。
ＥＥＰＲＯＭ１５は、随時書き換え可能な不揮発性のメモリであり、実行コードや固有情報（カード固有の番号、会員番号）などが記憶されている。
【００１５】
一方、リーダライタ（第１の外部装置）２０ａは、ＩＣカード１０と非接触式で通信を行う情報発信装置であり、ＩＣカード１０に対して電源やクロックなどを供給し、コマンドやデータを送信する。
ＰＤＡ（ｐｅｒｓｏｎａｌ  ｄｉｇｉｔａｌ  ａｓｓｉｓｔａｎｃｅ：第２の外部装置）２０ｂは、ＩＣカード１０と接触式で通信を行う接触用外部装置であり、ＩＣカード１０からデータを受信する（詳細は後述）。
【００１６】
次に、図１を参照しながら、図２及び図３を用いて、ＩＣカード１０の使用方法及び動作を説明する。
図２は、本実施例によるＩＣカードの使用方法を示す図であり、図３は、本実施例によるＩＣカードの動作を示すフローチャートである。
ここでは、暗号化された動画情報をＩＣカード１０で複合しながら、ＰＤＡ２０ｂで再生する例で説明する。
【００１７】
まず、図２に示すように、ＩＣカード１０と、リーダライタ２０ａと、ＰＤＡ２０ｂとを用意し、ＰＤＡ２０ｂにＩＣカード１０を挿入する。
この状態で、ＩＣカード１０は、図３のステップ１０１（以下、「ステップ」を「Ｓ」という。）の起動待ちの状態となる。
リーダライタ２０ａから電力を受けてＩＣカード１０が起動すると（Ｓ１０２）、ＣＰＵ１２は、通信方式が接触式か非接触式かを判断する（Ｓ１０３）。
接触式であると判断した場合には、接触式の処理を行う（Ｓ１０４）。この段階での接触式の処理は、用途に応じて様々な処理を設定することができるが、本実施例では、特に何もしない。
非接触式であると判断した場合には、データの受信待ちの状態となる（Ｓ１０５）。
【００１８】
そして、リーダライタ２０ａは、動画データを細分化し暗号化したデータをＩＣカード１０に送信する。
ＣＰＵ１２は、非接触通信部１１ａでリーダライタ２０ａと主要な通信を行い（第１の通信手順）、暗号化された動画データを受信し、データの受信が完了すると（Ｓ１０６）、その受信したデータの復号処理を開始する（Ｓ１０７）。
そして、非接触通信部１１ａから接触通信部１１ｂに通信手段を切り替え（Ｓ１０８：第１の切替手順）、切り替えを行った接触通信部１１ｂでＰＤＡ２０ｂと通信を行い、復号したデータをＰＤＡ２０ｂに送信する（Ｓ１０９：第２の通信手順）。
【００１９】
受信待ちの状態（Ｓ２０１）で、復号されたデータを受信したＰＤＡ２０ｂは、データの受信が完了したか否かを判断する（Ｓ２０２）。
データの受信が完了すると、受信したデータの最終的な処理（通信用ヘッダの削除など）を行い（Ｓ２０３）、処理が完了した動画データを用いて、ディスプレイ２１に動画を表示させ（Ｓ２０４）、表示が完了したら（Ｓ２０５）、受信待ちの状態に戻る（Ｓ２０１）。
【００２０】
一方、ＩＣカード１０のＣＰＵ１２は、受信データの処理が完了するまで、Ｓ１０７からＳ１０９までの処理を繰り返す（Ｓ１１０）。
処理が完了してＰＤＡ２０ｂとの通信が完了したら、接触通信部１１ｂから非接触通信部１１ａに通信手段を切り替え（Ｓ１１１：第２の切替手順）、切り替えを行った非接触通信部１１ａでリーダライタ２０ａに応答データを送信し（Ｓ１１２：応答手順）、再び受信待ちの状態となる（Ｓ１０５）。
【００２１】
このように、本実施例のＩＣカード１０によれば、リーダライタ２０ａに応答を返す前に、接触通信部１１ｂでＰＤＡ２０ｂと通信を行うので、データを受信した直後から順次ＰＤＡ２０ｂにデータを送信でき、ＰＤＡ２０ｂは、ＩＣカード１０とリーダライタ２０ａとの通信完了を待たずに処理を開始して動画を表示できるので、結果として、利用者の待ち時間を短縮することができる。
【００２２】
また、ＰＤＡ２０ｂとの通信は、接触式の接触通信部１１ｂで行っているので、通信が安定し、確実かつ迅速にＰＤＡ２０ｂと通信を行うことができ、非接触通信部１１ａでの通信中に行う通信に最適である。
【００２３】
さらに、暗号化された動画データを取り扱っているので、データの情報量が大きくなり通信に負担がかかるが、負担が大きくなればなるほど、本実施例の構成であれば、利用者の待ち時間を大幅に短縮することができる。
【００２４】
さらにまた、接触式と非接触式との２つの通信手段を備えるデュアルインタフェースカードに好適である。
【００２５】
（変形例）
以上説明した実施例に限定されることなく、種々の変形や変更が可能であって、それらも本発明の均等の範囲内である。
（１）上述した実施例では、非接触式でリーダライタ２０ａと通信を行い、接触式でＰＤＡ２０ｂと通信を行う例で説明したが、これとは逆に、接触式でリーダライタ２０ａと通信を行い、非接触式でＰＤＡ２０ｂと通信を行ってもよい。
【００２６】
（２）第１の通信手段と第２の通信手段とは、異なる通信手段の例で説明したが、同一の通信手段や、同一の通信手段で異なる通信方式などとしてもよい。
同一の通信手段の場合は、２つの接触式の通信手段（例えば、２つの接触端子）を用いて実現可能であり、同一の通信手段で異なる通信方式の場合は、１つの非接触式の通信手段（例えば、１つのアンテナ）を用い、異なるプロトコルで通信を行うようにすれば実現可能である。
なお、同一の通信手段の場合は、上述した実施例のように、非接触式か接触式かの判断を行うのではなく、いずれの通信手段（方式）を使用しているかの判断を行い、それとは異なる通信手段で第２の外部装置と通信を行うようにする。
【００２７】
（３）上述した実施例では、本発明をＩＣカードに適用した例を述べたが、本発明の適用は、ＩＣカードに限定されるものではなく、ＣＰＵを内蔵した携帯可能情報記録媒体に広く及ぶものであり、また、セキュア媒体であれば、本発明の構成は有効である。例えば、小型のＩＣカードを内蔵した携帯電話であれば、ＩＣチップのアンテナなどを第１の通信手段とし、携帯電話に接続する接触端子を第２の通信手段とする。このようにすれば、待ち時間をほとんどとらせずに、携帯電話のディスプレイに動画などを表示させることができる。
（４）ＥＥＰＲＯＭ１５は、フラッシュメモリやＦｅＲＡＭ（ＦＲＡＭ：ラムトロン・インターナショナル・コーポレーションの登録商標）などの他の不揮発性メモリであってもよい。
【００２８】
（５）非接触通信部１１ａ及び接触通信部１１ｂで通信するデータは、暗号化された動画データの例で説明したが、情報量の多い画像データなどであってもよい。
（６）第１の外部装置は、情報を発信できる装置であれば、自動改札や自動販売機、情報発信装置を備える電信柱などであってもよく、また、第２の外部装置は、ノートパソコンなどであってもよい。
【図面の簡単な説明】
【００２９】
【図１】本発明による携帯可能情報記録媒体の実施例を示すブロック図である。
【図２】本実施例によるＩＣカードの使用方法を示す図である。
【図３】本実施例によるＩＣカードの動作を示すフローチャートである。
【図４】従来のＩＣカードとリーダライタなどとを示す図である。
【符号の説明】
【００３０】
１０  ＩＣカード（携帯可能情報記録媒体）
１１  通信部
１１ａ  非接触通信部（第１の通信手段）
１１ｂ  接触通信部（第２の通信手段）
１２  ＣＰＵ
１３  ＲＡＭ
１４  ＲＯＭ
１５  ＥＥＰＲＯＭ
２０ａ  リーダライタ（第１の外部装置）
２０ｂ  ＰＤＡ（第２の外部装置）
２１  ディスプレイ
【図１】
0004830389.tif 000002
【図２】
0004830389.tif 000003
【図３】
0004830389.tif 000004
【図４】
0004830389.tif 000005